【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
シリンダの表面を覆うべく両端が開口した筒状体で形成され、一端がピストンロッドの先端部近傍にロッド側固定手段により固定され、他端がシリンダチューブにチューブ側固定手段により固定されるシリンダ保護カバーであって、
前記ピストンロッドの伸縮によって生じる弛みを吸収する弛み吸収手段と、
長手方向に前記一端から前記他端にわたり少なくとも一箇所切断された切断部とを備え、
前記弛み吸収手段は、前記筒状体を蛇腹状に伸縮させるべく細径部と太径部とを交互に繰り返し有する蛇腹構造で形成され、
該蛇腹構造の前記細径部及び前記太径部は、中空の隣り合う素材同士が中空部端部及び外径端部で互いに接着及び縫合されて形成されることを特徴とするシリンダ保護カバー。
【請求項２】
前記蛇腹構造は、前記太径部の外径寸法が前記一端から前記他端に向けて徐々に大きくなるよう形成されることを特徴とする、請求項１に記載のシリンダ保護カバー。
【請求項３】
前記切断部が千鳥状に切断されてなることを特徴とする、請求項１または２に記載のシリンダ保護カバー。
【請求項４】
前記蛇腹構造は、前記細径部の内径寸法が前記一端から前記他端にかけて略同径となるよう形成されることを特徴とする、請求項１乃至３のいずれかに記載のシリンダ保護カバー。
【請求項５】
前記蛇腹構造は、前記細径部の内径寸法が前記一端から前記他端に向けて徐々に大きくなるよう形成されることを特徴とする、請求項１乃至３のいずれかに記載のシリンダ保護カバー。
【請求項６】
前記筒状体は、前記切断部が前記シリンダの取付けられる部材側を向くよう前記シリンダに固定されてなることを特徴とする、請求項１乃至５のいずれかに記載のシリンダ保護カバー。
【請求項７】
前記ロッド側固定手段及び前記チューブ側固定手段は、それぞれ前記ピストンロッド及び前記シリンダチューブの外径に応じた径寸法に対応して締付けるバンド部材と、該バンド部材を覆う保護部材とを有することを特徴とする、請求項１乃至６のいずれかに記載のシリンダ保護カバー。
【請求項８】
請求項１から請求項７のいずれかに記載のシリンダ保護カバーを備えたことを特徴とするシリンダ。
【手続補正２】
【補正対象書類名】明細書
【補正対象項目名】０００７
【補正方法】変更
【補正の内容】
【０００７】
上記目的を達成するために、請求項１に係るシリンダ保護カバーでは、シリンダの表面を覆うべく両端が開口した筒状体で形成され、一端がピストンロッドの先端部近傍にロッド側固定手段により固定され、他端がシリンダチューブにチューブ側固定手段により固定されるシリンダ保護カバーであって、前記ピストンロッドの伸縮によって生じる弛みを吸収する弛み吸収手段と、長手方向に前記一端から前記他端にわたり少なくとも一箇所切断された切断部とを備え、前記弛み吸収手段は、前記筒状体を蛇腹状に伸縮させるべく細径部と太径部とを交互に繰り返し有する蛇腹構造で形成され、該蛇腹構造の前記細径部及び前記太径部は、中空の隣り合う素材同士が中空部端部及び外径端部で互いに接着及び縫合されて形成されることを特徴とする。
【手続補正３】
【補正対象書類名】明細書
【補正対象項目名】０００９
【補正方法】変更
【補正の内容】
【０００９】
特に、この場合、蛇腹構造によってピストンロッドの伸縮に伴う保護カバーの弛みが防止される。さらに、中空の隣り合う素材同士を中空部端部及び外径端部で互いに接着及び縫合して蛇腹構造における太径部及び細径部を形成したことにより、これら細径部及び太径部の強度が向上し、特に太径部が外部の土砂等と摺接しても擦り切れたり、剥がれたりすることが防止される。また、細径部や太径部に特にばね材やワイヤ等の補強部材を必要としないため、腐食に伴いカバー素材が裂けてしまうようなことがない。
【手続補正４】
【補正対象書類名】明細書
【補正対象項目名】００１０
【補正方法】変更
【補正の内容】
【００１０】
さらに、請求項２に係るシリンダ保護カバーでは、請求項１において、前記蛇腹構造は、前記太径部の外径寸法が前記一端から前記他端に向けて徐々に大きくなるよう形成されることを特徴とする。
これにより、ピストンロッドが収縮する際、蛇腹構造の太径部が後段のより外径の大きな素材面を押し付けるように作用するため、保護カバーがきれいに折り畳まれながら収縮する。
【手続補正５】
【補正対象書類名】明細書
【補正対象項目名】００１１
【補正方法】変更
【補正の内容】
【００１１】
請求項３に係るシリンダ保護カバーでは、請求項１または２において、前記切断部が千鳥状に切断されてなることを特徴とする。
このように切断部を千鳥状に切断すると、自由端となる切断部近傍が多少めくれてもこれらが重なり合うことがないため、収縮時において切断部近傍が長手方向に厚くなることが防止される。
【手続補正６】
【補正対象書類名】明細書
【補正対象項目名】００１２
【補正方法】変更
【補正の内容】
【００１２】
請求項４に係るシリンダ保護カバーでは、請求項１乃至３のいずれかにおいて、前記蛇腹構造は、前記細径部の内径寸法が前記一端から前記他端にかけて略同径となるよう形成されることを特徴とする。
これより、保護カバーがピストンロッドに沿って保持され、例えばシリンダが水平になった場合であっても自重により下方に大きく垂れてしまうことがない。
【手続補正７】
【補正対象書類名】明細書
【補正対象項目名】００１３
【補正方法】変更
【補正の内容】
【００１３】
請求項５に係るシリンダ保護カバーでは、請求項１乃至３のいずれかにおいて、前記蛇腹構造は、前記細径部の内径寸法が前記一端から前記他端に向けて徐々に大きくなるよう形成されることを特徴とする。
これより、保護カバーがピストンロッドから離れた位置で折り畳まれていくため、折り畳まれた部分がシリンダチューブ端とピストンロッド先端の保護カバー取付部との間に挟み込まれることが防止される。
【手続補正８】
【補正対象書類名】明細書
【補正対象項目名】００１４
【補正方法】変更
【補正の内容】
【００１４】
請求項６に係るシリンダ保護カバーでは、請求項１乃至５のいずれかにおいて、前記筒状体は、前記切断部が前記シリンダの取付けられる部材側を向くよう前記シリンダに固定されてなることを特徴とする。
請求項７に係るシリンダ保護カバーでは、請求項１乃至６のいずれかにおいて、前記ロッド側固定手段及び前記チューブ側固定手段は、それぞれ前記ピストンロッド及び前記シリンダチューブの外径に応じた径寸法に対応して締付けるバンド部材と、該バンド部材を覆う保護部材とを有することを特徴とする。
【手続補正９】
【補正対象書類名】明細書
【補正対象項目名】００１５
【補正方法】変更
【補正の内容】
【００１５】
そして、請求項８に係るシリンダでは、シリンダが請求項１から請求項７のいずれかに記載のシリンダ保護カバーを備えたことを特徴とする。
【手続補正１０】
【補正対象書類名】明細書
【補正対象項目名】００１７
【補正方法】変更
【補正の内容】
【００１７】
特に、この場合、蛇腹構造によりロッドの伸縮に伴う保護カバーの弛みを防止でき、さらに、中空の隣り合う素材同士を中空部端部及び外径端部で互いに接着及び縫合して蛇腹構造の太径部及び細径部を形成したことにより、これら細径部及び太径部の強度を向上させ、特に太径部が外部の土砂等と摺接しても擦り切れたり、剥がれたりすることを防止できる。また、細径部や太径部にばね材やワイヤ等の補強部材を用いる必要がないため、腐食に起因してカバー素材が裂けてしまうこともない。
【手続補正１１】
【補正対象書類名】明細書
【補正対象項目名】００１８
【補正方法】変更
【補正の内容】
【００１８】
さらに、請求項２に係るシリンダ保護カバーによれば、ロッドが収縮する際、蛇腹構造の太径部が後段のより外径の大きな素材面を確実に押し付けるように作用するため、保護カバーをきれいに折り畳みなから収縮させることができ、結果として収縮時の見栄えを向上させることができる。
また、請求項３に係るシリンダ保護カバーによれば、切断部を千鳥状にすることで、自由端となる切断部近傍が多少めくれてもこれらが重なり合わないようにでき、収縮時において切断部近傍が長手方向に厚くならないようにでき、やはり収縮時の見栄えを向上させることができる。
【手続補正１２】
【補正対象書類名】明細書
【補正対象項目名】００１９
【補正方法】変更
【補正の内容】
【００１９】
また、請求項４に係るシリンダ保護カバーによれば、保護カバーをピストンロッドに沿って保持でき、例えばシリンダが水平になった場合であっても保護カバーが自重により下方に大きく垂れてしまうことを防止できる。これにより、ピストンロッドの収縮時において保護カバーを弛みなくより一層きれいに折り畳むことができ、収縮時の見栄えをさらに向上させることができる。
【手続補正１３】
【補正対象書類名】明細書
【補正対象項目名】００２０
【補正方法】変更
【補正の内容】
【００２０】
また、請求項５に係るシリンダ保護カバーによれば、保護カバーをピストンロッドから離れた位置で折り畳むようにでき、ピストンロッドを収縮させたときにシリンダチューブからのピストンロッドの突出量がほとんどない形態のシリンダであっても、折り畳まれた部分がシリンダチューブ端とピストンロッド先端の保護カバー取付部との間に挟み込まれないようにできる。
【手続補正１４】
【補正対象書類名】明細書
【補正対象項目名】００２１
【補正方法】変更
【補正の内容】
【００２１】
また、請求項６に係るシリンダ保護カバーによれば、切断部がシリンダの取付けられる部材側を向くように保護カバーを固定することにより、シリンダの取付けられる部材を盾にして切断部から土砂等が侵入することをある程度防止することができる。
また、請求項７に係るシリンダ保護カバーによれば、保護カバーのシリンダへの固定にカバー部材で覆われたバンド部材を用いることにより、バンド部材でシリンダ保護カバーを傷つけてしまうことを未然に防止できる。
【手続補正１５】
【補正対象書類名】明細書
【補正対象項目名】００２２
【補正方法】変更
【補正の内容】
【００２２】
そして、請求項８に係るシリンダによれば、上記各効果を有する保護カバーを用いることでシリンダを好適に実現することができる。